(57)【要約】【課題】ランプを点灯させることなく投写レンズの操作やその他の機能の実行を行うことができる投写型画像表示装置を提供することを目的とする。【解決手段】ランプ１０１を点灯させて装置を起動させる第１の起動モードの他に、ランプ１０１を点灯させずに装置を起動し、投写レンズ１０８の位置を移動する操作など、点灯以外の動作を実行することができる第２の起動モードを備え、装置を第２の起動モードで起動させるには、装置本体電源スイッチ１１とリモコン送信器１３の所定のキーが同時に押下されたことを装置制御回路１で検出して行う。【選択図】図２
2009265466.tif 000002
【特許請求の範囲】
【請求項１】
映像信号に基づき駆動される表示素子に光源からの光を照射することによって得られる透過光または反射光によって当該カラー映像信号の表す画像をスクリーン上に投写する投写型画像表示装置であって、
光源であるランプと、
画像を投写する投写レンズと、
前記ランプを点灯させる点灯制御部と、
装置本体に対し前記投写レンズの位置を変移させるレンズ駆動部と、
電源スイッチと、
前記電源スイッチが操作されることにより装置の電源をＯＮし前記点灯制御部および前記レンズ駆動部を起動するための電源制御部とを備え、
前記電源制御部は、前記ランプを点灯させる第１の起動モードと、前記ランプは点灯させず、点灯以外の機能が動作可能な第２の起動モードとを備えることを特徴とする投写型画像表示装置。
【請求項２】
前記ランプを点灯させずに前記点灯以外の機能が動作可能な第２の起動モードが、投写レンズの位置を移動させる機能と、投写レンズのフォーカス位置を移動させる機能と、投写レンズのズーム位置を移動させる機能のうち少なくとも１つが含まれていることを特徴とする請求項１記載の投写型画像表示装置。
【請求項３】
前記電源スイッチと他の操作スイッチが投写型画像表示装置本体に設けられ、前記電源スイッチのみ操作した場合は第１の起動モード、前記電源スイッチと他の操作スイッチとを同時に操作した場合は第２の起動モードに設定されることを特徴とする請求項１または請求項２記載の投写型画像表示装置。
【請求項４】
投写型画像表示装置を操作するためのリモコン送信器を備え、前記投写型画像表示装置の電源スイッチをＯＮ／ＯＦＦする電源キーと他の操作キーが前記リモコン送信器に設けられ、前記電源キーと前記他の操作キーとを同時に操作した場合は第２の起動モードに設定されることを特徴とする請求項１または請求項２記載の投写型画像表示装置。
【請求項５】
投写型画像表示装置本体に設けられる電源スイッチと前記リモコン送信器に設けられる操作キー、または、投写型画像表示装置本体に設けられる操作スイッチと前記リモコン送信器に設けられる電源キーとを同時に操作した場合は第２の起動モードに設定されることを特徴とする請求項１または請求項２記載の投写型画像表示装置。
【発明の詳細な説明】
【技術分野】
【０００１】
本発明は、光源からの光線を表示素子に照射して、画像を投写表示する投写型画像表示装置に関するものである。
【背景技術】
【０００２】
近年、ビデオディスクプレーヤやパーソナルコンピュータ等の普及に伴い、大画面で迫力のあるプレゼンテーションや広告を行うことができる大画面画像表示装置への需要が高まってきている。
【０００３】
このような大画面画像表示装置には、プロジェクタに代表される投写型画像表示装置がある。
【０００４】
投写型画像表示装置でカラー画像を表示するためには、一般的に色の３原色である赤色、緑色、青色の原色光を用い、各原色による投写画像をスクリーン上で合成してカラー画像を表示する。
【０００５】
そして投写型画像表示装置には、赤色用、緑色用、青色用の３枚の表示素子を備えた形式の投写型画像表示装置や、表示素子を１枚だけ用いて、各原色光の投写画像を時間分割で表示させてカラー画像を表示する形式の投写型画像表示装置がある。
【０００６】
従来の投写型画像表示装置としては、例えば、特許文献１に記載されているようなものがある。図４は、表示素子を３枚用いた従来の投写型画像表示装置の一例の構成を示した構成図である。
【０００７】
図４において、１０１は光源であるランプ、１０２は光線の方向を変える反射ミラー、１０３はランプ１０１からの光線を整えるためのフィールドレンズ、１０４は光を集光するための集光レンズ、１０５はランプ１０１からの光を３原色光に分解するためのダイクロイックミラー、１０６は画像を表示する液晶表示素子、１０７は表示素子１０６からの光線を合成するための合成プリズム、１０８は投写レンズ、１０９はスクリーン、１１１、１１２、１１３、１１４は投写レンズ１０８を駆動するためのモーター、１１０はモーター１１１、１１２、１１３、１１４を制御するためのモーター駆動制御回路である。
【０００８】
図４では、投写レンズ１０８を駆動するためのモーターを４個示しているが、これらはそれぞれ投写レンズ１０８のフォーカス調整、ズーム調整、垂直位置調整、水平位置調整を行うためのものである。
【０００９】
以上のように構成された従来の投写型画像表示装置の一例について、以下にその動作を説明する。
【００１０】
ランプ１０１から放射された光は、反射ミラー１０２とフィールドレンズ１０３によって導かれ、ダイクロイックミラー１０５で赤色、緑色、青色の原色光に分解され、集光レンズ１０４で表示素子１０６に照射される。
【００１１】
液晶表示素子１０６には映像信号回路（図示せず）によって画像が表示されており、表示された映像は合成プリズム１０７で合成されて投写レンズ１０８でスクリーン１０９に投写表示される。
【００１２】
液晶表示素子１０６に表示された画像をスクリーン１０９上に表示させるためには、投写レンズのフォーカス調整、ズーム調整、垂直位置調整、水平位置調整を行って画像の投写状態を調整する必要がある。
【００１３】
これらは、モーター駆動制御回路１１０で４個のモーター１１１、１１２、１１３、１１４を制御して行われる。ここで、モーター１１１、１１２、１１３、１１４、モーター駆動制御回路１１０を動作させるためには、モーター１１１、１１２、１１３、１１４、モーター駆動制御回路１１０に電気を供給するための電源（図示せず）がＯＮの状態になっている必要がある。
【００１４】
従来の投写型画像表示装置では、モーターを駆動するためには大きな電力が必要なので、セット全体を動作させるための電源（以下、主電源と称す）より電源が供給されている。
【００１５】
例えば、特許文献１に記載されている投写型画像表示装置では、装置の電源ＯＮ時に行う一連の処理として、装置の操作スイッチのＯＮ信号を検出した後、（１）主電源をＯＮにして投写レンズを所定の位置に移動させる、（２）ランプを点灯状態にする、（３）冷却ファンを回転させる、（４）映像信号処理回路を動作させるといった処理があり、（１）〜（４）の順番で処理が行われる。
【００１６】
また、装置の電源ＯＦＦ時に行われる一連の処理としては、装置の操作スイッチのＯＦＦ信号を検知した後、（１）ランプを消灯状態にする、（２）投写レンズの沈胴動作を行う、（３）沈胴動作の完了を検知後に液晶表示素子の冷却ファンの停止を行う、（４）主電源をＯＦＦとするという処理があり、（１）〜（４）の順番で処理が行われる。
【００１７】
このように、一旦装置の電源がＯＮになれば、装置の電源がＯＦＦにされるまでランプを含む装置の全ての回路の電源はＯＮの状態のままである。
【特許文献１】特開２００１−２４２５４２号公報
【発明の開示】
【発明が解決しようとする課題】
【００１８】
以上のように構成された従来の投写型画像表示装置の一例では、装置の電源をＯＮにするときは一連の動作として必ずランプを点灯状態にするように構成されていたので、例えば投写レンズの位置を動かすだけの場合であっても、一度ランプを点灯させる必要があった。
【００１９】
一方、上記の方法ではスクリーンに投射する度に投写レンズの調整を行わなければならず、同じ場所でそのまま使用する場合は投写レンズの沈胴動作を行わないようにしたものもあった。
【００２０】
このような投写型画像表示装置を収納ケースに収納する必要が出た場合は、収納ケース内で装置の位置を安定させるためにレンズを所定の位置に移動させてから収納しなければならない。
【００２１】
また、投写型画像表示装置の現在の設定条件を装置本体のディスプレイで確認したい場合などもあった。
【００２２】
しかしながら、装置収納時に投写レンズの位置を移動させる場合や設定条件の確認など、一旦装置の電源をＯＮにして所望の操作を行った後、装置の電源をＯＦＦにするのであるが、前述のように、装置の電源をＯＮにするとランプが点灯してしまうので、ランプを消灯させた後、冷却ファンでランプを十分冷却してから冷却ファンを停止させる必要があり、このため、ランプを消灯させてからも装置の停止までには数分間の時間が必要であるという課題があった。
【００２３】
また、ランプの特性上、短時間での点灯、消灯を繰り返し行うとランプの寿命が短くなるという課題もあった。
【００２４】
本発明は上記した従来の課題を解決するためのもので、投写型画像表示装置において、ランプを点灯させることなく投写レンズの操作やその他の機能の実行を行うことができる投写型画像表示装置を提供することを目的とする。
【課題を解決するための手段】
【００２５】
本発明の請求項１に記載の発明は、映像信号に基づき駆動される表示素子に光源からの光を照射することによって得られる透過光または反射光によって当該カラー映像信号の表す画像をスクリーン上に投写する投写型画像表示装置であって、
光源であるランプと、
画像を投写する投写レンズと、
前記ランプを点灯させる点灯制御部と、
装置本体に対し前記投写レンズの位置を変移させるレンズ駆動部と、
電源スイッチと、
前記電源スイッチが操作されることにより装置の電源をＯＮし起動するための電源制御部とを備え、
前記電源制御部は、前記ランプを点灯させる第1の起動モードと、前記ランプは点灯させず、点灯以外の機能が動作可能な第２の起動モードとを備えることを特徴としたものであり、ランプを点灯させることなくその他の機能を実行することができる。
【００２６】
請求項２に記載の発明は、前記ランプを点灯させずに前記点灯以外の機能が動作可能な第２の起動モードが、投写レンズの位置を移動させる機能と、投写レンズのフォーカス位置を移動させる機能と、投写レンズのズーム位置を移動させる機能のうち少なくとも１つが含まれていることを特徴としたものであり、同様にランプを点灯させることなく投写レンズを駆動することができる。
【発明の効果】
【００２７】
以上のように本発明の投写型画像表示装置によれば、装置のランプを点灯させることなく、投写レンズを駆動やその他の機能を実行することができ、装置の収納や設定条件の確認などを早くすることができ、ランプの寿命も長くすることができる。
【発明を実施するための最良の形態】
【００２８】
以下、本発明の実施の形態について図１から図３を参照しながら説明する。
【００２９】
（実施の形態１）
図１は本発明の実施の形態１に係る投写型画像表示装置の構成図、図２は起動時の動作を示したフローチャートである。
【００３０】
図１において、従来の図４で示した投写型画像表示装置の構成と同じ構成要素には同一符号を付し、詳細な説明は省略する。
【００３１】
また、図面を簡略にするために、図４で示した従来の構成の投写型画像表示装置の構成と同じ構成要素である反射ミラー１０２、フィールドレンズ１０３、集光レンズ１０４、ダイクロイックミラー１０５、液晶表示素子１０６、合成プリズム１０７は省略している。
【００３２】
図１において、１は投写型画像表示装置の電源制御部を含み装置を制御するための装置制御回路、２は装置に電源を供給するための主電源回路、３は投写レンズのフォーカス調整、ズーム調整、垂直位置調整、水平位置調整用のモーターを駆動するモーター駆動制御回路、４はランプ点灯制御回路、１１は装置本体に設置されている電源スイッチ、１２は装置本体に設置されている他の制御スイッチ、１３はリモコン送信器、１４はリモコン受光部である。
【００３３】
以上のように構成された投写型画像表示装置について、図１と図２を用いてその起動時の動作を説明する。
【００３４】
投写型画像表示装置がＡＣ電源に接続された待機状態にあって、装置制御回路１が装置本体の電源スイッチ１１の押下、またはリモコン受光部１４からの検出信号によってリモコン送信器１３の電源キーの押下を検出できる状態にあるとき、装置制御回路１が装置本体の電源スイッチ１１、またはリモコン送信器１３の電源キーの押下を検出する（ステップＳ５１）と、次に、装置制御回路１はリモコン送信器１３の所定のキーが同時に押下されているかどうかを検出する（Ｓ５２）。
【００３５】
電源スイッチ１１とリモコン送信器１３の所定のキーが同時に押下されていない場合は、電源制御回路１は、主電源回路２をＯＮにして装置の各回路に電源を供給する（Ｓ５３）と、次に、ランプ点灯制御回路４を制御してランプ１０１を点灯させる（Ｓ５４）。これを第１の起動モードと呼ぶ。第１の起動モードは装置の通常の起動モードである。
【００３６】
装置が第１の起動モードで起動した後は、装置制御回路１は装置本体の制御スイッチまたはリモコン送信器１３のキーが押下されたことを検出したならば、押されたスイッチの種類に従って所望の処理を行う。
【００３７】
一方、ステップＳ５２で電源スイッチ１１またはリモコン送信器１３の電源キーとリモコン送信器１３の所定のキーが同時に押下されている場合は、装置制御回路１は、主電源回路２をＯＮにして装置の各回路に電源を供給（Ｓ５５）したあと、ランプ点灯制御回路４にランプ１０１を点灯させずランプ点灯検出機能を無効にする制御を行う（Ｓ５６）。これを第２の起動モードと呼ぶ。
【００３８】
第２の起動モードでランプ点灯制御回路４のランプ点灯検出機能を無効にするのは、通常は装置が動作している状態でランプ１０１が消灯状態にあることを検出した場合は、装置制御回路１は装置が異常な状態にあるとして、例えば装置の電源をＯＦＦにする異常状態処理を行うので、第２の起動モードにあるときはランプ１０１が点灯していない状態であっても装置が異常でないことを装置制御回路１に認識させるためである。
【００３９】
第２の起動モードで装置を起動させた時は、第１の起動モードで起動したときと同様に装置本体の制御スイッチまたはリモコン送信器１３のキーの押下によって全ての処理を実行できるように構成してもよいし、一部の処理のみに制限して実行できるように構成しておいてもよい。
【００４０】
実行できる処理を制限する場合は、投写レンズ１０８のフォーカス調整機能と、ズーム調整機能、垂直位置調整、水平位置調整のうち少なくとも１つを含ませておくことで、ランプ１０１を点灯させずに、モーター駆動制御回路３でモーター１１１〜１１４のいずれかを駆動させ、投写レンズ１０８の位置調整を行うことができる。
【００４１】
（実施の形態２）
図３は本発明の実施の形態２に係る投写型画像表示装置の起動時の動作を示したフローチャートである。本実施の形態において、実施の形態１の図１、図２、従来例の図４と同じ構成要素については同一符号を付し、詳細な説明は省略する。
【００４２】
図３のフローチャートに示した本実施の形態による投写型画像表示装置では、実施の形態１に対して第２の起動モードで装置を起動させる手段を、装置制御回路１が装置本体の電源スイッチ１１、またはリモコン送信器１３の電源キーの押下を検出（ステップＳ５１）したあとに、装置制御回路１が装置本体の所定のスイッチ１２が同時に押下されているかどうかの検出を行う（Ｓ２５２）ようにしている。
【００４３】
上記検出後の第１の起動モード、第２の起動モードによる手順は実施の形態１と同様である。
【００４４】
これによって、装置制御回路１が装置起動時の特殊な操作を検出すると、ランプ１０１を点灯させない第２の起動モードで装置を起動させ、モーター駆動制御回路３でモーター１１１〜１１４のいずれかを駆動させ、投写レンズ１０８の位置調整を行うことができる。
【００４５】
なお、これらの実施の形態では、第２の起動モードを認識する手段として、装置本体の電源スイッチまたはリモコン送信器の電源キーとリモコン送信器の所定のキー、装置本体の電源スイッチまたはリモコン送信器の電源キーと装置本体の所定のスイッチを同時に押下することとして説明したが、これらの方法に限られることはなく、通常の起動モードである第１の起動モードを認識する手段と異なる方法を用いれば良いことは明らかである。
【００４６】
また、これらの実施の形態では、第２の起動モードで実行できる処理を制限する例として、投写レンズの位置調整を示したが、本発明はこれに限るものではなく、例えば、投写型画像表示装置の現在の設定条件を装置本体のディスプレイに表示させるなど、要するにランプを点灯させることなく他の機能を実行できるものであればよい。
【産業上の利用可能性】
【００４７】
本発明にかかる投写型画像表示装置は、装置の起動時にランプを点灯させて起動する第１の起動モードと、ランプを点灯させずに起動する第２の起動モードを備えることによって、装置の収納時などにランプを点灯させずに投写レンズ位置を移動やその他の機能を実行させることができるので、装置を冷却する必要がなく装置収納時等の時間の短縮化を図ることができ、かつ、ランプを余分に劣化させることがないのでプロジェクタ等の投写型画像表示装置などの用途に有用である。
【図面の簡単な説明】
【００４８】
【図１】本発明の実施の形態１における投写型画像表示装置の構成図
【図２】同実施の形態１における投写型画像表示装置の起動時の動作を示したフローチャート
【図３】本発明の実施の形態２における投写型画像表示装置の起動時の動作を示したフローチャート
【図４】従来の投写型画像表示装置の構成の一例を示した構成図
【符号の説明】
【００４９】
１  装置制御回路
２  主電源回路
３  モーター駆動制御回路
４  ランプ点灯制御回路
１１  電源スイッチ
１２  制御スイッチ
１３  リモコン送信器
１４  リモコン受光部
１０１  ランプ
１０８  投写レンズ
１１１、１１２、１１３、１１４  モーター
【図１】
2009265466.tif 000003
【図２】
2009265466.tif 000004
【図３】
2009265466.tif 000005
【図４】
2009265466.tif 000006